(57)【要約】【課題】本発明は、使用する部材数が少なく簡便・容易で、既存の防水機構を一切撤去することなく、かつパラペットあご部の水切り機能を損なうことなく施工できる屋上の防水補修工法、及び同工法で使用する押さえ金具の提供を課題としたものである。【解決手段】屋上床面に施されている既存の防水層の上に新たな防水層を敷設する第１の工程と、パラペット内壁面の既存防水層の全面と床面の既存防水層上に新設された防水層のパラペット近傍の一定幅部分上にわたって防水シートを貼着する第２の工程と、防水シートのパラペットからの剥離を防止する長尺の押さえ金具の上部を前記パラペットのあご部の下面に当接させ、下部をパラペットの内壁面に固着する第３の工程とでなる屋上の防水補修工法、及び同工法で使用する押さえ金具として、パラペットのあご部の下面に当接する部分が、水平面部又は下方に傾斜した庇部を有する押さえ金具を用いることによる。【選択図】  図２
2017066859.tif 000002
【特許請求の範囲】
【請求項１】
あご付きパラペット（１）を備えた屋上における防水機能の劣化を、既存の防水構造体を一切撤去することなく施工できる屋上の防水補修工法であって、
ａ．屋上床面（２）に施されている既存の防水層（５）の上に新たに防水層（１０）を敷設する第１の工程と、
ｂ．パラペット（１）の内壁面に施されている既存の防水層（４）と前記床面（２）の既存防水層（５）上に新たに構築された防水層（１０）との当接部分の防水のため、パラペット（１）内壁面の既存防水層（４）の全面と第１の工程で新たに構築された床面防水層（１０）のパラペット（１）の近傍の一定幅部分上にわたって防水シート（１１）を貼着する第２の工程と、
ｃ．前記防水シート（１１）のパラペット（１）からの剥離を防止するための長尺の押さえ金具であって、前記既存のパラペット内壁面防水層（４）を固定していた既存の押さえ金具（６）に覆い被せるように形成された長尺の押さえ金具を、その上部を前記パラペット（１）のあご部（３）の下面に当接させ、その下部を前記防水シート（１１）と既存の防水層（４）とを挟持してパラペット（１）に固着する第３の工程と、
でなることを特徴とする屋上の防水補修工法。
【請求項２】
使用する長尺の押さえ金具が、前記パラペット（１）のあご部（３）の下面に当接する当接部が水平面（１２ａ）又は下方に傾斜した庇部（１３ａ又は１４ａ）を有するものであることを特徴とする請求項１に記載の屋上の防水補修方法。
【請求項３】
使用する防水シート（１１）が、アスファルトフィルムであることを特徴とする請求項１又は２に記載の屋上の防水補修工法。
【請求項４】
請求項１に記載の屋上の防水補修工法で使用される長尺の押さえ金具であって、
前記パラペット（１）のあご部（３）の下面へ当接させる水平面でなる上部の当接部（１２ａ）と、該当接部（１２ａ）から下方に延伸された垂直面部（１２ｂ）と、前記垂直面部（１２ｂ）につながる傾斜部（１２ｃ）と、前記傾斜部（１２ｃ）の下部に設けられ、パラペット（１）の内壁面に固着する垂直面でなる取付部（１２ｄ）とからなる押さえ金具（１２）であることを特徴とする長尺の押さえ金具。
【請求項５】
請求項１に記載の屋上の防水補修工法で使用する長尺の押さえ金具であって、
前記パラペット（１）のあご部（３）の下面へその頂点を当接させる上部庇部（１３ａ）と、同庇部（１３ａ）の頂点近傍の下面からパラペット（１）内壁面の下方に向けて設けられた傾斜部（１３ｂ）と、該傾斜部（１３ｂ）の下部に設けられ、パラペット（１）の内壁面に固着する垂直面でなる取付部（１３ｃ）とからなる押さえ金具（１３）であることを特徴とする長尺の押さえ金具。
【請求項６】
請求項１に記載の屋上の防水補修工法で使用する長尺の押さえ金具であって、
前記パラペット（１）のあご部（３）の下面へその頂点を当接させる上部庇部（１４ａ）と、同庇部（１４ａ）の頂点から下方に延伸された垂直面部（１４ｂ）と、前記垂直面部（１４ｂ）の下端からパラペット（１）の内壁面に向けてつながる水平面部（１４ｃ）と、前記水平面部（１４ｃ）から下垂され、パラペット（１）の内壁面に固着する垂直面でなる取付部（１４ｄ）とからなる押さえ金具（１４）であることを特徴とする長尺の押さえ金具。
【請求項７】
前記長尺の押さえ金具が、１枚の長尺の金属板の屈曲によって形成されてなるものであることを特徴とする請求項４〜６のいずれか１項に記載の長尺の押さえ金具。
【請求項８】
前記長尺の押さえ金具が、その当接部（１２ａ）もしくは庇部（１３ａ）の上面にスポンジ状素材（１４）を備えてなることを特徴とする請求項４〜７のいずれか１項に記載の長尺の押さえ金具。
【発明の詳細な説明】
【技術分野】
【０００１】
防水機能の劣化した屋上の防水層の防水補修工法であって、特にパラペットの防水層を含めて既存の防水機構を一切撤去することなく施工できる屋上の防水補修工法、及び同工法で使用する長尺の押さえ金具に関する。
【背景技術】
【０００２】
防水機能が劣化した屋上の防水補修工法としては、従来、床面とパラペット内壁面に一体化して施されていた既存の防水層を床面とパラペット面とに分断してパラペットの防水層のみを撤去し、その後、防水層の撤去されたパラペット内壁面と、床面の既設防水層の上とに、新たな防水層を一体化して施工することが行われてきていた。このため、パラペット内壁面の養生や、撤去した防水層の廃棄物処理などが必要となり工期が長引き、人手もコストも掛かるという問題があった。
この問題に対しては、劣化した防水層を一切撤去することなく施工できる工法として、特許文献１の『あご付きパラペットを有する屋上の改修防水構造とその工法』には、
［請求項１］  あご付きパラペットを有する屋上の改修防水構造であって、パラペットのあご部と屋上平面部との間に固設した立ち上がり部と、屋上平面部における既存防水部もしくは保護コンクリ−ト部および前記立ち上がり部を被覆するとともにパラペット天端においてその端部を納めた重設防水層と、を具えたことを特徴とするあご付きパラペットを有する屋上の改修防水構造。
［請求項２］  請求項１において、前記立ち上がり部は、パラペットの見付け部分から屋上平面部に至る垂直面に張設固定した板状体で構成し、この板状体の上端はパラペット側部にビス固定もしくは粘着テ−プ固定するとともに下端は平面部に固定した挟持金具に嵌合させたことを特徴とするあご付きパラペットを有する屋上の改修防水構造。
［請求項３］  あご付きパラペットを有する屋上の改修防水工法であって、（イ）パラペットのあご部と屋上平面部との間に立ち上がり部を固設する工程、（ロ）平面部における既存防水部もしくは保護コンクリ−ト部および前記立ち上がり部を被覆する重設防水層を形成するとともにパラペット天端においてその端部を納める工程、を具えてなるあご付きパラペットを有する屋上の改修防水工法。
［請求項４］  請求項３において、前記立ち上がり部は、パラペットの見付け部分から屋上平面部に至る垂直面に張設固定した板状体で構成し、この板状体の上端はパラペット側部にビス固定もしくは粘着テ−プ固定するとともに下端は平面部に固定した挟持金具に嵌合させたことを特徴とするあご付きパラペットを有する屋上の改修防水工法。
が開示されている。
【０００３】
また、特許文献２の『水切りあご付きパラペットを有する屋上改修防水構造及びその工法』として、
［請求項１］  水切りあご付きパラペットを有する屋上改修防水構造であって、既設のパラペットの水切りあご部から既設の屋上平面部にわたる部分を変形可能なシート体で被覆すると共に、該シート体の上に重設防水層を形成してなることを特徴とする水切りあご付きパラペットを有する屋上改修防水構造。
［請求項２］  既設の屋上平面部に差込み溝を有する差込み支持部材を設け、前記変形可能なシート体の下辺を上記差込み溝に差込み固定してなることを特徴とする請求項１に記載の水切りあご付きパラペットを有する屋上改修防水構造。
［請求項３］  既設の水切りあご部の天端に差込み係合部材を設け、前記変形可能なシート体の上辺を水切りあご部と上記差込み係合部材との間に差込み固定してなることを特徴とする請求項１又は２に記載の水切りあご付きパラペットを有する屋上改修防水構造。
［請求項４］  既設の水切りあご部の天端に係合溝を有する差込み係合部材を設け、前記変形可能なシート体の上辺を上記差込み係合部材の係合溝に差込み固定してなることを特徴とする請求項１又は２に記載の水切りあご付きパラペットを有する屋上改修防水構造。
［請求項５］  前記変形可能なシート体の下辺と前記差込み支持部材との間及び前記変形可能なシート体の上辺と前記差込み係合部材との間に、弾性を有する緩衝材を介設してなることを特徴とする請求項２から４のいずれか１項に記載の水切りあご付きパラペットを有する屋上改修防水構造。
［請求項６］  前記変形可能なシート体が、樹脂製シート体または金属製シート体である請求項１から５のいずれか１項に記載の水切りあご付きパラペットを有する屋上改修防水構造。
［請求項７］  前記変形可能なシート体が、網目体である請求項１から６のいずれか１項に記載の水切りあご付きパラペットを有する屋上改修防水構造。
［請求項８］  前記変形可能なシート体が、剛性体と軟質体からなる複合体である請求項１から７のいずれか１項に記載の水切りあご付きパラペットを有する屋上改修防水構造。
［請求項９］  前記変形可能なシート体に防水層が積層一体化されている請求項１から８のいずれか１項に記載の水切りあご付きパラペットを有する屋上改修防水構造。
［請求項１０］  前記差込み支持部材が盤面略Ｕ字形又はＦ字形をしている請求項２に記載の水切りあご付きパラペットを有する屋上改修防水構造。
［請求項１１］  前記差込み係合部材が断面略Ｌ字形又はＦ字形をしている請求項３又は４に記載の水切りあご付きパラペットを有する屋上改修防水構造。
［請求項１２］  水切りあご付きパラペットを有する屋上改修防水工法であって、既設のパラペットの水切りあご部から既設の屋上平面部にわたって変形可能なシート体を張設する工程と、上記変形可能なシート体を被覆すると共に既設のパラペット天端から既設の屋上平面部にわたって重設防水層を形成しパラペット天端においてその端部を納める工程とからなることを特徴とする水切りあご付きパラペットを有する屋上改修防水工法。
が開示されている。
【０００４】
上記２つの発明は、いずれもあご付きパラペットの多くが全高４０ｃｍ前後であり、しかもこのパラペット内壁面の防水層には保護ブロック壁が設けらているとして、このあご下部分の防水層及び保護ブロック壁の除去作業は不自然な姿勢で行わなければならないことから、パラペットのあご部から既設の屋上平面部との間に立ち上がり部やシート体で壁面を構成し、その立ちあがり部又はシート体の上に防水層を構築するというものである。しかしこれでは従来パラペットのあご部が有していた水切りの機能は失われることとなる。
そして、特許文献１の発明における工法は、（イ）パラペットのあご部と屋上平面部との間に立ち上がり部を固設する工程、（ロ）平面部における既存防水部もしくは保護コンクリ−ト部および前記立ち上がり部を被覆する重設防水層を形成するとともにパラペット天端においてその端部を納める工程とでなり、立ちあがり部を固設する工程においては、前記立ち上がり部を、パラペットの見付け部分から屋上平面部に至る垂直面に張設固定した板状体で構成し、この板状体の上端をパラペット側部にビス固定もしくは粘着テ−プ固定するとともに下端は平面部に固定した挟持金具に嵌合させるものであり、従来のものに比して工期、経費の軽減が図れるものとなっている。
特許文献２の発明における工法は、既設パラペットの水切りあご部から既設屋上平面部にわたる部分を被覆する変形可能なシート体、屋上平面部に差し込み溝を有し前記変形可能なシート体の下辺を該差し込み固定する持部材、既設の水切りあご部の天端に設け前記変形可能なシート体の上辺を差し込む差し込み係合部材、前記差し込み係合部材と前記変形可能なシート材と上辺又は／及び下辺との間に介設する弾性を有する緩衝材、といった複数の部材を組み合わせて行うものであり、従来のものに比べれば工期、経費の低減は図れるが、複数の部材を組み上げに要する手間と時間は欠くことができない。
【先行技術文献】
【特許文献】
【０００５】
【特許文献１】特開２００２−１０６１２７号公報
【特許文献２】特開２００５−２２０７３２号公報
【発明の概要】
【発明が解決しようとする課題】
【０００６】
本発明は、上記背景技術に鑑みてなされたもので、前記パラペットの水切り機能を損なうことなく、しかも既存の防水機構を一切撤去することなく施工でき、補修に使用する部材の数も少なく、工期の短縮、作業性の向上、コストの低減が図れ、そして廃棄物を出さないという環境にも優しい屋上の防水補修工法、及び同工法で使用する長尺の押さえ金具を提供するものである。
【課題を解決するための手段】
【０００７】
本発明者らは上記課題を下記の手段により解決した。
（１）あご付きパラペットを備えた屋上における防水機能の劣化を、既存の防水構造体を一切撤去することなく施工できる屋上の防水補修工法であって、
ａ．屋上床面に施されている既存の防水層の上に新たに防水層を敷設する第１の工程と、
ｂ．パラペットの内壁面に施されている既存の防水層と前記床面の既存防水層上に新たに構築された防水層との当接部分の防水のため、パラペット内壁面の既存防水層の全面と第１の工程で新たに構築された床面防水層のパラペットの近傍の一定幅部分上にわたって防水シートを貼着する第２の工程と、
ｃ．前記防水シートのパラペットからの剥離を防止するための長尺の押さえ金具であって、前記既存のパラペット内壁面防水層を固定していた既存の押さえ金具に覆い被せるように形成された長尺の押さえ金具を、その上部を前記パラペットのあご部の下面に当接させ、その下部を前記防水シートと既存の防水層とを挟持してパラペットに固着する第３の工程と、
でなることを特徴とする屋上の防水補修工法。
（２）使用する長尺の押さえ金具が、前記パラペットのあご部の下面に当接する当接部が水平面又は下方に傾斜した庇部を有するものであることを特徴とする請求項１に記載の屋上の防水補修方法。
（３）使用する防水シートが、アスファルトフィルムであることを特徴とする（１）又は（２）に記載の屋上の防水補修工法。
【０００８】
（４）前記（１）に記載の屋上の防水補修工法で使用される長尺の押さえ金具であって、
前記パラペットのあご部の下面へ当接させる水平面でなる上部の当接部と、該当接部から下方に延伸された垂直面部）と、前記垂直面部につながる傾斜部と、前記傾斜部の下部に設けられ、パラペットの内壁面に固着する垂直面でなる取付部とからなる押さえ金具（以下押さえ金具Ａという）であることを特徴とする長尺の押さえ金具。
（５）前記（１）に記載の屋上の防水補修工法で使用する長尺の押さえ金具であって、
前記パラペットのあご部の下面へその頂点を当接させる上部庇部と、同庇部の頂点近傍の下面からパラペット内壁面の下方に向けて設けられた傾斜部と、該傾斜部の下部に設けられ、パラペット（１）の内壁面に固着する垂直面でなる取付部とからなる押さえ金具（以下押さえ金具Ｂという）であることを特徴とする長尺の押さえ金具。
（６）前記（１）に記載の屋上の防水補修工法で使用する長尺の押さえ金具であって、
前記パラペットのあご部の下面へその頂点を当接させる上部庇部と、同庇部の頂点から下方に延伸された垂直面部と、前記垂直面部の下端からパラペットの内壁面に向けてつながる水平面部と、前記水平面部から下垂され、パラペットの内壁面に固着する垂直面でなる取付部とからなる押さえ金具（以下押さえ金具Ｃという）であることを特徴とする長尺の押さえ金具。
（７）前記長尺の押さえ金具が、１枚の長尺の金属板の屈曲によって形成されてなるものであることを特徴とする（４）〜（６）のいずれか１項に記載の長尺の押さえ金具。
（８）長尺の押さえ金具が、その当接部もしくは庇部の上面にスポンジ状素材を備えてなることを特徴とする（４）〜（７）のいずれか１項に記載の長尺の押さえ金具。
【発明の効果】
【０００９】
本発明の屋上の防水補修工法により下記の効果が発揮される。
〈１〉本発明の屋上の防水補修工法が、
ａ．屋上床面に施されている既存の防水層の上に新たに防水層を敷設する第１の工程と、
ｂ．パラペットの内壁面に施されている既存の防水層と前記床面の既存防水層上に新たに構築された防水層との当接部分の防水のため、パラペット内壁面の既存防水層の全面と第１の工程で新たに構築された床面防水層のパラペットの近傍の一定幅部分上にわたって防水シートを貼着する第２の工程と、
ｃ．前記防水シートのパラペットからの剥離を防止するための長尺の押さえ金具であって、前記既存のパラペット内壁面防水層を固定していた既存の押さえ金具に覆い被せるように形成された長尺の押さえ金具を、その上部を前記パラペットのあご部の下面に当接させ、その下部を前記防水シートと既存の防水層とを挟持してパラペットに固着する第３の工程とでなるので、
防水機能の劣化した既存の防水層を撤去することなく、かつ、パラペットあご部の水切り機能を損なうことなく簡便・容易に補修でき、工期の短縮、作業性の向上、コストの低減が図れ、廃棄物を一切出さないという環境に優しい屋上の防水補修工法が提供できる。
〈２〉使用する長尺の押さえ金具が、前記パラペットのあご部の下面に当接する当接部が水平面又は下方に傾斜した庇部を有するものであるので、
パラペットのあご部下面を伝わってくる雨水は、該長尺の押さえ金具が当接する部分で阻止され、庇部を有するものにあっては雨水が庇部の表面を流下して屋上床面の防水層上に効率よく滴下させることができる。
〈３〉使用する防水シートが、アスファルトフィルムであるので、
既設の防水層や押さえ金具等貼着する下地の形状に適合して貼着でき、パラペットに施された既存の防水層と屋上床面の既存防水層の上に新設された防水層との接合部の防水効果が高められ、かつ作業性の向上も図れる。
【００１０】
〈４〉前記（１）に記載の屋上の防水補修工法で使用される長尺の押さえ金具であって、
前記パラペットのあご部の下面へ当接させる水平面でなる上部の当接部と、該当接部から下方に延伸された垂直面部と、前記垂直面部につながる傾斜部と、前記傾斜部の下部に設けられ、パラペットの内壁面に固着する垂直面でなる取付部とからなる押さえ金具Ａであるので、
前記の水平面でなる当接部をパラペットのあご部下面に当接しながら、下部の垂直面でなる取付部をパラペット内壁面にビス等で固着すれば、前記傾斜部によってパラペット内壁面とあご部下面とが接合するコーナーに空間が形成されて既存の押さえ金具を該空間内にに覆い隠すことができる。
【００１１】
〈５〉前記（１）に記載の屋上の防水補修工法で使用する長尺の押さえ金具であって、
前記パラペットのあご部の下面へその頂点を当接させる上部の庇部と、同庇部の頂点近傍の下面からパラペット内壁面の下方に向けて設けられた傾斜部と、該傾斜部の下部に設けられ、パラペットの内壁面に固着する垂直面でなる取付部とからなる押さえ金具Ｂであるので、
前記庇部の頂点をパラペットのあご部下面に当接しながら、下部の垂直面でなる取付部をパラペット内壁面にビス等で固定すれば、前記傾斜部によってパラペット内壁面とあご部下面が接合するコーナーに空間が形成されて既存の押さえ金具を該空間内に覆い隠すことができる。
【００１２】
〈６〉前記（１）に記載の屋上の防水補修工法で使用する長尺の押さえ金具であって、
前記パラペットのあご部の下面へその頂点を当接させる上部庇部と、同庇部の頂点から下方に延伸された垂直面部と、前記垂直面部の下端からパラペットの内壁面に向けてつながる水平面部と、前記水平面部から下垂され、パラペットの内壁面に固着する垂直面でなる取付部とからなる押さえ金具Ｃであるので、
前記庇部の頂点をパラペットのあご部下面に当接しながら、下部の垂直面でなる取付部をパラペット内壁面にビス等で固定すれば、前記傾斜部によってパラペット内壁面とあご部下面が接合するコーナーに空間が形成されて既存の押さえ金具を該空間内に覆い隠すことができる。
また
〈７〉前記長尺の押さえ金具Ａ、Ｂ、Ｃが、いずれも１枚の長尺の金属板の屈曲によって形成されてなるものであるので、
量産に適し、補修現場での取付作業も容易であり、工期の短縮、コスト低減が図れる。
また、前記庇部の頂点近傍の下面に傾斜部が設けられた押さえ金具Ｂにあっては、他の押さえ金具Ａ、Ｃより頂点部分で折り返えすという複雑な製造工程が必要となるが、前記庇部の頂点が強固になり、パラペットあご部の下面に他の押さえ金具より強く押圧して当接させることができる。
〈８〉長尺の押さえ金具が、その当接部もしくは庇部の上面にスポンジ状素材を備えているので、
パラペットのあご部下面を伝わってくる雨水は該スポンジ状素材の保水力で堰き止められ、押さえ金具の内部には浸入することなく庇部から床面に滴下するので、押さえ金具のパラペットとの当接面の劣化のおそれがない。
【図面の簡単な説明】
【００１３】
【図１】本発明の屋上の防水補修工法で実施した防水構造を示す第１実施例の断面図
【図２】本発明の屋上の防水補修工法で実施した防水構造を示す第２実施例の断面図
【図３】本発明の屋上の防水補修工法で実施した防水構造を示す第３実施例の断面図
【図４】防水補修を必要とする屋上の防水構造を示す一部断面斜視図
【図５】本発明の屋上の防水補修工法の第１工程終了後の一部断面斜視図
【図６】本発明の屋上の防水補修工法の第２・第３工程施工後の一部断面斜視図（押さえ金具Ａ使用の場合）
【図７】本発明の屋上の防水補修工法の第２・第３工程施工後の一部断面斜視図（押さえ金具Ｂ使用の場合）
【図８】本発明の屋上の防水補修工法の第２・第３工程施工後の一部断面斜視図（押さえ金具Ｃ使用の場合）
【図９】押さえ金具の斜視図（ａ）押さえ金具Ａ（ｂ）押さえ金具Ｂ（ｃ）押さえ金具Ｃ
【発明を実施するための形態】
【００１４】
本発明の屋上の防水補修工法を実施するための形態を、実施例の図に基づいて説明する。
図１は、本発明の屋上の防水補修工法によって補修した屋上パラペット近傍の防水補修構造を示す第１実施例の断面図、図２は本発明の屋上の防水補修工法によって補修した屋上パラペット近傍の防水補修構造を示す第２実施例の断面図、図３は本発明の屋上の防水補修工法によって補修した屋上パラペット近傍の防水補修構造を示す第２実施例の断面図であり、
図４は防水補修を必要とする屋上の防水構造を示す一部断面斜視図、図５は本発明の屋上の防水補修工法の第１工程終了後の一部断面斜視図、図６は本発明の屋上の防水補修工法の第２・第３工程施工後の一部断面斜視図（押さえ金具Ａ使用の場合）、図７は本発明の屋上の防水補修工法の第２・第３工程施工後の一部断面斜視図（押さえ金具Ｂ使用の場合）、図８は本発明の屋上の防水補修工法の第２・第３工程施工後の一部断面斜視図（押さえ金具Ｃ使用の場合）、
そして、図９は押さえ金具の斜視図で、（ａ）は押さえ金具Ａ、（ｂ）は押さえ金具Ｂ、（ｃ）は押さえ金具Ｃを示す。
図において１はパラペット、２は屋上床面、３はあご部、４は既存のパラペット内壁面の防水層、５は既存の床面の防水層、６は既存の押さえ金具、７はシール材、１０は補修により新設された床面防水層、１１は防水シート、１２は押さえ金具Ａ、１２ａは押さえ金具Ａの当接部、１２ｂは押さえ金具Ａの垂直面部、１２ｃは押さえ金具Ａの傾斜部、１２ｄは押さえ金具Ａの取付部、１３は押さえ金具Ｂ、１３ａは押さえ金具Ｂの庇部、１３ｂは押さえ金具Ｂの傾斜部、１３ｃは押さえ金具Ｂの取付部、１４は押さえ金具Ｃ、１４ａは押さえ金具Ｃの庇部、１４ｂは押さえ金具Ｃの垂直面部、１４ｃは押さえ金具Ｃの水平面部、１４ｄは押さえ金具Ｃの取付部、１５はスポンジ状素材を示す。
【実施例１】
【００１５】
図１は本発明の屋上の防水補修工法で実施した屋上の防水補修構造を示す第１実施例の断面図であり、押さえ金具として図７（ａ）に示す押さえ金具Ａ１２を使用した場合のものである。
図１に見られるように、本第１の実施例においては、防水機能が劣化した屋上床面２の既存の防水層５の上に重ねて新たな防水層１０が敷設され、パラペット１内壁面の既存防水層４の全面と前記床面２の既設防水層５の上に新たに敷設された防水層１０のパラペット１近傍の一定幅部分上とにわたって防水シート１１が貼着され、さらに前記防水シート１１の剥離を防止する押さえ金具Ａ１２が、その上部の水平面でなる当接部１２ａをパラペット１のあご部３の下部に当接し、下部の垂直面でなる取付部１２ｄを前記防水シート１１と既存の防水層４とを挟持してビス等によってパラペット１の内壁面に固着されて補修されている。
【００１６】
本実施例の屋上の防水補修構造を完成させる屋上の防水補修工法について、図４〜図６に基づいて説明する。図４は防水補修を必要とする屋上の防水構造を示す一部断面斜視図であり、パラペット１の内壁面には既存の防水層４が、また床面２には既存の防水層５が一体化されて構成されており、またパラペット１のあご部３の下面と前記パラペット１の内壁面との接合部には、前記パラペット１の内壁面の既存防水層４の剥離を防止する既存の押さえ金具６、及び前記既存の押さえ金具６と前記あご部３の下面との隙間を埋めるシール材７とが設けられている。
図５は、図４に示した防水補修を必要とする屋上床面２の既存防水層５の上に新たな防水層１０を敷設した第１の工程終了後の状態を示したものであるが、この状態ではまだパラペット１の既存防水層４と、床面２の既設防水層５の上に新たに敷設された防水層１０との接合部での防水が完全でなく、雨水が侵入するおそれがある。
そこで図６に示すように、パラペット１内壁面の既存防水層４の全面と、床面２の既設防水層５の上に新たに敷設された防水層１０のパラペット１の近傍の一定幅部分上にわたって防水シート１１を貼着する第２の工程を施こし、さらに前記防水シート１１のパラペット１の内壁面からの剥離を防止する長尺の押さえ金具Ａ１２を、その水平面でなる当接部１２ａをパラペット１のあご部３の下面に当接させ、下部の取付部１２ｄをビス等で内壁面に固着する第３の工程を施すこととなる。
【００１７】
本実施例で使用した長尺の押さえ金具Ａ１２は、図７（ａ）に示すように、前記パラペット１のあご部３の下面へ当接させる水平面でなる上部の当接部１２ａと、該当接部１２ａから下方に延伸された垂直面部１２ｂと、前記垂直面部１２ｂにつながる傾斜部１２ｃと、前記傾斜部１２ｃの下部に設けられ、パラペット１の内壁面に固着する垂直面でなる取付部１２ｄとが１枚の長尺の金属板を屈曲して形成されている。
したがって、上部の当接面１２ａをパラペット１のあご部３の下面に当接させ、下部の取付部１２ｄをビス等でパラペット内壁面に固着すると、前記垂直面部１２ｂと傾斜具１２ｃとによってパラペット１内壁面とあご部３の下面とが接合するコーナー部に密閉された空間が形成され、その空間内に既存の押さえ金具６及びシール材が覆い隠されることとなる。
また、上部の当接部１２ａの上にスポンシ状素材１５を備え、パラペット１のあご部３の下面を伝わってくる雨水等をスポンジ状素材１５の保水力で堰き止められるよう構成されることも好ましい。
【実施例２】
【００１８】
図２は本発明の屋上の防水補修工法で実施した屋上の防水補修構造を示す第２実施例の断面図であり、押さえ金具として図７（ｂ）に示す押さえ金具Ｂ１３を使用した場合のものである。
図２に見られるように、本第２の実施例においては、防水機能が劣化した屋上床面２の既存の防水層５の上に新たな防水層１０が敷設され、パラペット１の内壁面の既存防水層４の全面と前記床面２の既設防水層５の上に新たに敷設された防水層１０のパラペット１近傍の一定幅部分上にわたって防水シート１１が貼着され、さらに前記防水シート１１の剥離を防止する押さえ金具Ｂ１３が、その上部に有する庇部１３ａの頂部をパラペット１のあご部３の下部に当接し、下部の垂直面でなる取付部１３ｃを前記防水シート１１と既存の防水層４を挟持してビス等によってパラペット１の内壁面に固着され、補修されている。
【００１９】
本第２実施例の屋上の防水補修構造を完成させる屋上の防水補修工法は、その第３の工程で使用する長尺の押さえ金具の形状が第１実施例のそれと異なるものであり、したがって図４、図５に関する説明と重複する部分は割愛し、図７の説明を中心にして行うこととする。
前記実施例１において説明したように、図４に示す第１工程の終了時点ではまだパラペット１の既存防水層４と、床面２の既設防水層５の上に新たに敷設された防水層１０との接合部での防水が完全でなく、雨水が侵入するおそれがある。
そこで図７に示すように、パラペット１内壁面の既存防水層４の全面と、床面２の既設防水層５の上に新たに敷設された防水層１０のパラペット１の近傍の一定幅部分上にわたって防水シート１１を貼着する第２の工程を施こし、さらに前記防水シート１１のパラペット１の内壁面からの剥離を防止するため上部に庇部１３ａを有する押さえ金具Ｂ１３を、その庇部１３ａの頂部をあご部３の下面に当接させ、下部の取付部１３ｃをパラペット１の内壁面にビス等で固着する第３の工程を施すこととなる。
【００２０】
本実施例２で使用した長尺の押さえ金具Ｂ１３は、図７（ｂ）に示すように、前記パラペット１のあご部３の下面にその頂部を当接させる上部の庇部１３ａと、同庇部１３ａの頂部近傍の下面からパラペット１内壁面の下方に向けて設けられた傾斜部１３ｂと、該傾斜部１３ｂの下部に設けられ、パラペット１の内壁面に固着する垂直面でなる取付部１２ｃとが１枚の長尺の金属板の屈曲によって形成されている。
したがって、庇部１３ａの頂部をパラペット１のあご部３の下面に当接させ、下部の取付部１３ｃをビス等でパラペット１の内壁面に固着すると、前記庇部１３ａと傾斜部１３ｂとによってパラペット１の内壁面とあご部３の下面とが接合するコーナー部に密閉された空間が形成され、その空間内に既存の押さえ金具６及びシール材が覆い隠されることとなる。
また、前記庇部１３ａの上面にスポンシ状素材１５を備え、パラペット１のあご部３の下面を伝わってくる雨水等をスポンジ状素材１４の保水力で堰き止められるよう構成されることも好ましい。
【実施例３】
【００２１】
図３は本発明の屋上の防水補修工法で実施した屋上の防水補修構造を示す第３実施例の断面図であり、押さえ金具として図７（ｃ）に示す押さえ金具Ｃ１４を使用した場合のものである。
図３に見られるように、本第３の実施例においては、防水機能が劣化した屋上床面２の既存の防水層５の上に新たな防水層１０が敷設され、パラペット１の内壁面の既存防水層４の全面と前記床面２の既設防水層５の上に新たに敷設された防水層１０のパラペット１近傍の一定幅部分上にわたって防水シート１１が貼着され、さらに前記防水シート１１の剥離を防止する押さえ金具Ｃ１４が、その上部に有する庇部１４ａの頂部をパラペット１のあご部３の下部に当接し、下部の垂直面でなる取付部１４ｄを前記防水シート１１と既存の防水層４を挟持してビス等によってパラペット１の内壁面に固着され、補修されている。
【００２２】
本第３実施例の屋上の防水補修構造を完成させる屋上の防水補修工法は、その第３の工程で使用する長尺の押さえ金具の形状が第１及び第２実施例のそれと異なるものであり、したがって図４、図５に関する説明と重複する部分は割愛し、図８の説明を中心にして行うこととする。
前記実施例１、２において説明したように、図４に示す第１工程の終了時点ではまだパラペット１の既存防水層４と、床面２の既設防水層５の上に新たに敷設された防水層１０との接合部での防水が完全でなく、雨水が侵入するおそれがある。
そこで図７に示すように、パラペット１内壁面の既存防水層４の全面と、床面２の既設防水層５の上に新たに敷設された防水層１０のパラペット１の近傍の一定幅部分上にわたって防水シート１１を貼着する第２の工程を施こし、さらに前記防水シート１１のパラペット１の内壁面からの剥離を防止するため上部に庇部１４ａを有する押さえ金具Ｃ１４を、その庇部１４ａの頂部をあご部３の下面に当接させ、下部の取付部１４ｄをパラペット１の内壁面にビス等で固着する第３の工程を施すこととなる。
【００２３】
本実施例３で使用した長尺の押さえ金具Ｃ１４は、図７（ｃ）に示すように、前記パラペット１のあご部の下面へその頂点を当接させる上部庇部１４ａと、同庇部１４ａの頂点から下方に延伸された垂直面部１４ｂと、前記垂直面部１４ｂの下端からパラペット１の内壁面に向けてつながる水平面部１４ｃと、前記水平面部１４ｃから下垂され、パラペット１の内壁面に固着する垂直面でなる取付部１４ｄとが１枚の長尺の金属板の屈曲によって形成されている。
したがって、庇部１４ａの頂部をパラペット１のあご部３の下面に当接させ、下部の取付部１４ｄをビス等でパラペット１の内壁面に固着すると、前記庇部１４ａと垂直面部１４ｂと水平面部１４ｃによってパラペット１の内壁面とあご部３の下面とが接合するコーナー部に密閉された空間が形成され、その空間内に既存の押さえ金具６及びシール材７が覆い隠されることとなる。
また、前記庇部１４ａの上面にスポンシ状素材１５を備え、パラペット１のあご部３の下面を伝わってくる雨水等をスポンジ状素材１５の保水力で堰き止められるよう構成されることも好ましい。
【００２４】
本発明の屋上の防水補修工法は、実施例１、実施例２、実施例３で示したように、防水機能の劣化した既存の防水構造体を一切撤去せず、かつパラペット１のあご部３が有する水切り機能を損なうことなく、補修に要する部材も少なく、しかも作業現場で複数の部材を用いて構造体を組み上げる必要がないことから、作業が簡便、容易で、人手もかからず、工期の短縮、コストの低減に大きな効果をもたらすものとなっている。
【符号の説明】
【００２５】
１：パラペット
２：屋上床面
３：あご部
４：既存のパラペット内壁面の防水層
５：既存の床面の防水層
６：既存の押さえ金具
７：シール材
１０：補修により新設された床面防水層
１１：防水シート
１２：押さえ金具Ａ
１２ａ：押さえ金具Ａの当接部
１２ｂ：押さえ金具Ａの垂直面部
１２ｃ：押さえ金具Ａの傾斜部
１２ｄ：押さえ金具Ａの取付部
１３：押さえ金具Ｂ
１３ａ：押さえ金具Ｂの庇部
１３ｂ：押さえ金具Ｂの傾斜部
１３ｃ：押さえ金具Ｂの取付部
１４：押さえ金具Ｃ
１４ａ：押さえ金具Ｃの庇部
１４ｂ：押さえ金具Ｃの垂直面部
１４ｃ：押さえ金具Ｃの水平面部
１４ｄ：押さえ金具Ｃの取付部
１５：スポンジ状素材
【図１】
2017066859.tif 000003
【図２】
2017066859.tif 000004
【図３】
2017066859.tif 000005
【図４】
2017066859.tif 000006
【図５】
2017066859.tif 000007
【図６】
2017066859.tif 000008
【図７】
2017066859.tif 000009
【図８】
2017066859.tif 000010
【図９】
2017066859.tif 000011